(57)【要約】      （修正有）【課題】部品点数が少なく、取付け作業も容易で、故障し難く災害時でも手動操作により確実に商品を取出すことができ、更に、手動操作式商品搬出機構の利用後にも電気駆動式商品搬出機構を再び利用できる自動販売機を提供する。【解決手段】ソレノイドのプランジャ２３の下端側にリンク部材４１のフック部４３が後側から入り込んで掛止されているところを利用して、ワイヤー５１をフック部４３に引掛けながら回して、ワイヤー５１を引張り下げることによりリンク部材４１を上げるように構成する。掴み部５５を離してワイヤー５１を遊び状態に戻せば、リンク部材４１にはスプリング３９の弾性付勢力が働くが、ワイヤー５１が挿通されたアウターチューブ５７のＵ字状垂下部分６１の直状維持特性も協働するので、速やかに下降して待機時の下方位置に戻る。【選択図】図７
2018026112.tif 000002
【特許請求の範囲】
【請求項１】
プランジャを下方に向けたソレノイドと、前記プランジャの下端側にフック部が後側から入り込んで掛止され前記プランジャの上動に連動して弾性的に復元可能に上動するリンク部材と、前記リンク部材の上動により商品収容通路から退避動作するストッパと、ρ字状に曲げられその中間のＵ字状垂下部分が前記フック部に引掛けられ、一端側は前記ソレノイド側に対して取付けられると共に他端側は前記一端側を超えて下方に延びているワイヤーと、前記Ｕ字状垂下部分を復元方向に弾性的に付勢する弾性復元手段とを有し、
前記弾性復元手段が、前記ワイヤーが挿通され前記Ｕ字状垂下部分の片側から前記一端側を超える部分まで及んでいるコイルスプリング状アウターチューブと、左右一対のガイド孔を有し、一方のガイド孔に前記Ｕ字状垂下部分の片側のワイヤー諸共アウターチューブが、他方のガイド孔に前記Ｕ字状垂下部分のもう片側のワイヤーがそれぞれ挿通されて、前記Ｕ字状垂下部分をＵ字形に弾性的に復元方向に付勢するものであり、
前記ソレノイドへの通電だけでなく前記ワイヤーの他端側の手動操作による引張りによる前記プランジャの引上げでも前記リンク部材が上動する商品搬出機構を備えたことを特徴とする手動操作式商品搬出機構を備えた自動販売機。
【請求項２】
請求項１に記載した手動操作式商品搬出機構を備えた自動販売機において、
他方のガイド孔の上方に止め孔が設けられており、ワイヤーの一端部が更に前記止め孔に挿通されたところでカシメ止めされて取付けられており、前記他方のガイド孔と前記止め孔に対して前記ワイヤーは遊通可能になっていることを特徴とする自動販売機。
【請求項３】
請求項１または２に記載した手動操作式商品搬出機構を備えた自動販売機において、
ソレノイドのヨーク部に取付けられ、コイル部の周囲をΠ状に囲んだ板状のガイド部を備え、ρ字状に曲げられたワイヤー諸共アウターチューブが前記ガイド部によってガイドされてコイル部の周囲に這わされていることを特徴とする自動販売機。
【請求項４】
請求項３に記載した手動操作式商品搬出機構を備えた自動販売機において、
ガイド部には後方に向かって突設した突設片が設けられ、前記突設片に左右一対のガイド孔だけでなく這わせ用のガイド孔が形成されており、前記アウターチューブは前記ガイド部に後方から当接していることを特徴とする自動販売機。
【請求項５】
請求項４に記載した手動操作式商品搬出機構を備えた自動販売機において、
左右一対のガイド孔のうちアウターチューブの挿通用のガイド孔が形成された突設片の板面は下方に向かうにつれてコイル部から離れる方向に傾斜しており、ワイヤーの挿通用のガイド孔が形成された突設片の板面は略左右方向を向いていることを特徴とする自動販売機。
【請求項６】
請求項４または５に記載した手動操作式商品搬出機構を備えた自動販売機において、
ガイド部は複数のブラケット部材を組み合わせて構成されていることを特徴とする自動販売機。
【請求項７】
請求項３に記載した手動操作式商品搬出機構を備えた自動販売機において、
アウターチューブは一枚板状のガイド部とヨーク部との間で挟まれた状態でガイドされ、前記ガイド部の両下端部に左右一対のガイド孔が形成され、そのうち前記アウターチューブ用のガイド孔が形成された側はヨーク部に向かって折り曲げられて折り曲げ片になっていることを特徴とする自動販売機。
【請求項８】
請求項７に記載した手動操作式商品搬出機構を備えた自動販売機において、
折り曲げ片は僅かに後方を向いて傾斜して、後方に向かって跳ね上げ方向に引出されていることを特徴とする自動販売機。
【請求項９】
請求項１から８のいずれかに記載した手動操作式商品搬出機構を備えた自動販売機において、
掛止め用の穴が形成されたシート状のシールド片が、コイル部の下側に配置された配線コードのフック状ガイド部への掛止めにより吊下げ支持されて、プランジャ及びその左右空間を後方からシールドしており、
ワイヤーのＵ字状垂下部分は前記シールド片にシールドされて前方への回り込みが規制されていることを特徴とする自動販売機。
【請求項１０】
請求項１から９のいずれかに記載した手動操作式商品搬出機構を備えた自動販売機において、
ワイヤーの他端側の端部または前記端部の延長部に連設した掴み部は、本体キャビネット内に露出しており、外扉を開放すると手で掴めることを特徴とする自動販売機。
【発明の詳細な説明】
【技術分野】
【０００１】
本発明は飲料缶等の商品の自動販売機に係り、特に震災等で電力の供給が停止した場合でも手動操作により商品を取出すことができる手動操作式商品搬出機構を備えた自動販売機に関するものである。
【背景技術】
【０００２】
通常、自動販売機内では、本体キャビネット内で上下方向に延びた商品収容通路に商品が一列に積み重なった状態で収容されており、待機中は商品収容通路にストッパが進行して商品の下方への移動は規制されているが、コインや紙幣が投入されると、当該ストッパが後退して商品の下方への移動が許容され、移動した商品が商品取出し口に排出されるように構成されている。
このストッパは、電力を駆動源とするソレノイドにより駆動されて後退動作するので、震災等の災害時に停電するとソレノイドが作動せず、自動販売機から商品を取出すことができなくなる。
【０００３】
而して、最近では、自動販売機を備蓄倉庫として活用して、震災等の災害時に対応させることが提案されており、この提案に応えて、電力を供給できないときでも、手動操作によって自動販売機から商品を取出すことができる手動操作式商品搬出機構を備えた自動販売機が開発され、これが特許文献１に記載されている。
この従来の手動操作式商品搬出機構は、ピンによって回動自在に支持された移動変換カム、この移動変換カムを所定方向へ付勢するコイルばね、移動変換カムに連結されたワイヤー等から構成され、このワイヤーに連結された操作ノブを持ってワイヤーを前方に引くことにより、上記ストッパを後退させて商品を搬出させるようになっている。
【先行技術文献】
【特許文献】
【０００４】
【特許文献１】特開２０００−２７６６３８号公報
【特許文献２】特開２０１２−６８９２５号公報
【発明の概要】
【発明が解決しようとする課題】
【０００５】
しかしながら、この従来の手動操作式商品搬出機構は構成する部品が多くコストが高いばかりか、自動販売機に取付ける作業が煩雑で手間がかかるという問題がある。また、ワイヤーが露出した状態で商品収容通路を横断しているので震災等で自動販売機が若干傾いただけでも商品に引掛かって取出し難くなる恐れがある。
また、自動販売機自体が高価なので、一時期は手動操作を利用して商品を取出しても、その後は再び通常の自動販売機として利用したい。
【０００６】
それに応えて、本出願人は、先に、特許文献２で、部品点数が少なく、取付け作業も容易で、故障し難く災害時でも手動操作により確実に商品を取出すことができ、更に、手動操作により商品を取出した後にも、電気駆動式商品搬出機構を再び利用できるよう工夫された手動操作式商品搬出機構を提案した。
本発明は特許文献２で開示されたアイデアを利用し、更に工夫を凝らすことで、部品点数がより少なく、取付け作業もより容易で、故障し難く、手動操作により商品を取出した後にも、電気駆動式商品搬出機構を再びより確実に利用できる、新規且つ有用な自動販売機を提供することを、その目的とする。
【課題を解決するための手段】
【０００７】
本発明は上記課題を解決するためになされたものであり、請求項１の発明は、プランジャを下方に向けたソレノイドと、前記プランジャの下端側にフック部が後側から入り込んで掛止され前記プランジャの上動に連動して弾性的に復元可能に上動するリンク部材と、前記リンク部材の上動により商品収容通路から退避動作するストッパと、ρ字状に曲げられその中間のＵ字状垂下部分が前記フック部に引掛けられ、一端側は前記ソレノイド側に対して取付けられると共に他端側は前記一端側を超えて下方に延びているワイヤーと、前記Ｕ字状垂下部分を復元方向に弾性的に付勢する弾性復元手段とを有し、前記弾性復元手段が、前記ワイヤーが挿通され前記Ｕ字状垂下部分の片側から前記一端側を超える部分まで及んでいるコイルスプリング状アウターチューブと、左右一対のガイド孔を有し、一方のガイド孔に前記Ｕ字状垂下部分の片側のワイヤー諸共アウターチューブが、他方のガイド孔に前記Ｕ字状垂下部分のもう片側のワイヤーがそれぞれ挿通されて、前記Ｕ字状垂下部分をＵ字形に弾性的に復元方向に付勢するものであり、前記ソレノイドへの通電だけでなく前記ワイヤーの他端側の手動操作による引張りによる前記プランジャの引上げでも前記リンク部材が上動する商品搬出機構を備えたことを特徴とする手動操作式商品搬出機構を備えた自動販売機である。
【０００８】
請求項２の発明は、請求項１に記載した手動操作式商品搬出機構を備えた自動販売機において、他方のガイド孔の上方に止め孔が設けられており、ワイヤーの一端部が更に前記止め孔に挿通されたところでカシメ止めされて取付けられており、前記他方のガイド孔と前記止め孔に対して前記ワイヤーは遊通可能になっていることを特徴とする自動販売機である。
【０００９】
請求項３の発明は、請求項１または２に記載した手動操作式商品搬出機構を備えた自動販売機において、ソレノイドのヨーク部に取付けられ、コイル部の周囲をΠ状に囲んだ板状のガイド部を備え、ρ字状に曲げられたワイヤー諸共アウターチューブが前記ガイド部によってガイドされてコイル部の周囲に這わされていることを特徴とする自動販売機である。
【００１０】
請求項４の発明は、請求項３に記載した手動操作式商品搬出機構を備えた自動販売機において、ガイド部には後方に向かって突設した突設片が設けられ、前記突設片に左右一対のガイド孔だけでなく這わせ用のガイド孔が形成されており、前記アウターチューブは前記ガイド部に後方から当接していることを特徴とする自動販売機である。
【００１１】
請求項５の発明は、請求項４に記載した手動操作式商品搬出機構を備えた自動販売機において、左右一対のガイド孔のうちアウターチューブの挿通用のガイド孔が形成された突設片の板面は下方に向かうにつれてコイル部から離れる方向に傾斜しており、ワイヤーの挿通用のガイド孔が形成された突設片の板面は略左右方向を向いていることを特徴とする自動販売機である。
【００１２】
請求項６の発明は、請求項４または５に記載した手動操作式商品搬出機構を備えた自動販売機において、ガイド部は複数のブラケット部材を組み合わせて構成されていることを特徴とする自動販売機である。
【００１３】
請求項７の発明は、請求項３に記載した手動操作式商品搬出機構を備えた自動販売機において、アウターチューブは一枚板状のガイド部とヨーク部との間で挟まれた状態でガイドされ、前記ガイド部の両下端部に左右一対のガイド孔が形成され、そのうち前記アウターチューブ用のガイド孔が形成された側はヨーク部に向かって折り曲げられて折り曲げ片になっていることを特徴とする自動販売機である。
【００１４】
請求項８の発明は、請求項７に記載した手動操作式商品搬出機構を備えた自動販売機において、折り曲げ片は僅かに後方を向いて傾斜して、後方に向かって跳ね上げ方向に引出されていることを特徴とする自動販売機である。
【００１５】
請求項９の発明は、請求項１から８のいずれかに記載した手動操作式商品搬出機構を備えた自動販売機において、掛止め用の穴が形成されたシート状のシールド片が、コイル部の下側に配置された配線コードのフック状ガイド部への掛止めにより吊下げ支持されて、プランジャ及びその左右空間を後方からシールドしており、ワイヤーのＵ字状垂下部分は前記シールド片にシールドされて前方への回り込みが規制されていることを特徴とする自動販売機である。
【００１６】
請求項１０の発明は、請求項１から９のいずれかに記載した手動操作式商品搬出機構を備えた自動販売機において、ワイヤーの他端側の端部または前記端部の延長部に連設した掴み部は、本体キャビネット内に露出しており、外扉を開放すると手で掴めることを特徴とする自動販売機である。
【発明の効果】
【００１７】
本発明の手動操作式商品搬出機構を備えた自動販売機によれば、更に手動操作式商品搬出機構が改善されて、部品点数がより少なく、取付け作業もより容易で、故障し難く、手動操作により商品を取出した後にも、電気駆動式商品搬出機構を再びより確実に利用できる。
【図面の簡単な説明】
【００１８】
【図１】本発明の第１の実施の形態に係る手動操作式商品搬出機構を備えた自動販売機を外扉や内扉を開いて本体キャビネット内部を開放した状態を示す図である。
【図２】図１の自動販売機の商品搬出機構の後面図及び側断面図である。
【図３】図２のソレノイド部分の斜視図である。
【図４】図３の分解斜視図である。
【図５】図３の後方側からみた左右方向の側面図である。
【図６】図２の電気駆動式商品搬出機構による商品取出し時の動作状態の説明図である。
【図７】図２の手動操作式商品搬出機構による商品取出しの前後の動作状態の説明図である。
【図８】本発明の第２の実施の形態に係る手動操作式商品搬出機構のソレノイド部分の後面図である。
【図９】図８のガイド部のブラケット部材の後面図及び斜視図である。
【図１０】図８のガイド部の別のブラケット部材の後面図及び斜視図である。
【図１１】シールド片の後面図及び斜視図である。
【図１２】図２のソレノイド部分にシールド片を吊下げた状態の後面図である。
【発明を実施するための形態】
【００１９】
本発明の実施の形態に係る手動操作式商品搬出機構１を備えた自動販売機を図面にしたがって説明する。
この自動販売機は、既存の自動販売機２に後付けで部品を取付けて第１の実施の形態に係る手動操作式商品搬出機構１を備えさせたものである。
【００２０】
先ず、自動販売機２の全体構成と商品搬出動作を説明する。
図１に示すように、符号３は本体キャビネットを示し、この本体キャビネット３はボックス状を為し、前面が開口している。この本体キャビネット３には商品収容通路５が左右前後方向に複数設けられており、各商品収容通路５には商品、この実施の形態では飲料缶Ｃが横倒され、上下方向に一列に積み重ねられて収容されている。この商品収容通路５の上方が飲料缶Ｃの商品補充部７になっている。また、商品収容通路５の下端には商品排出シュート９が連設されている。
本体キャビネット３の左側縁部には内扉１１と外扉１３とが回動自在に連結されている。内扉１１は断熱性で閉鎖すると商品収容通路５に対向する。外扉１３の下部には商品取出口１５が設けられており、商品収容通路５から商品排出シュート９を介して搬出された飲料缶Ｃは内扉１１の下部に形成された開口（図示省略）を通って、外扉１３の商品取出口１５に排出される。
【００２１】
次に、この自動販売機２の電気駆動式商品搬出機構について、図２にしたがって説明する。
符号１７は後方から見て縦長矩形状の基板であり、図１に示すように、商品収容通路５の後面側の下部に配置されて商品収容通路５の一部を構成している。この基板１７には矩形状の大きな開口部１９が形成されている。
この基板１７の後面の上部側に、電気的駆動源としてのソレノイド２１が取付けられている。
【００２２】
このソレノイド２１には薄肉のプランジャ２３が上下動可能になっている。ソレノイド２１は、スプールに巻き回されたコイルを絶縁性樹脂で覆った矩形状部のコイル部２５と、逆Ｕ字状のヨーク部２７とを備える。ヨーク部２７は軟鉄板が積層されたものであり、コイル部２５を係止固定させるために、Π（パイ）字状で両下端部が互いに近づく方向に対向して狭口となっている。図４に示すように、ヨーク部２７の四隅にネジ２９、２９が差し込まれて、基板１７側の台座に締付け固定されている。プランジャ２３はコイル部２５から下方に向かって突出しており、その板面は前後方向を向いている。プランジャ２３の下端側には掛止用穴３１が形成されている。
ヨーク部２７はコイル部２５より一段低くなっており、境界に段差ができている。
上記ソレノイド２１は、コイル部２５への通電による励磁によりプランジャ２３が上方に吸引されるようになっている。
【００２３】
基板１７の開口部１９には２本のリンク軸３３、３５と支持軸３７とが互いに平行に横方向に架設されており、リンク軸３３、３５はいずれも上下方向に移動可能になっている。そして、リンク軸３５と支持軸３７との間にはスプリング３９が架け渡されてリンク軸３５は下方に弾性的に付勢されている。
符号４１はリンク部材を示し、このリンク部材４１は全体として縦長の薄板状をしており、この上部は前側に折り曲げられてフック部４３となっている。このフック部４３がソレノイド２１のプランジャ２３に形成された掛止用穴３１に後側から差し込まれて連結されている。また、リンク部材４１の左右両側縁には前側に向かって垂直に折曲げられて受け部が形成されており、そこに設けられた穴にリンク軸３３、３５が通されている。
【００２４】
上記した構成により、非通電時、すなわち待機時には、図２に示すように、リンク軸３３、３５は、スプリング３９の下方への弾性付勢力により下方の位置にあり、通電時、すなわち販売による商品取出し時には、図６に示すように、リンク軸３３、３５はプランジャ２３の上動に追従してリンク部材４１と共に引上げされて上方の位置にくる。そして、通電が終了すると、弾性的に復元されて下方の位置に戻る。
【００２５】
このリンク軸３３、３５の位置の関係で、待機時には、上側ストッパ４５及び支持リンク４７は後方に後退して、飲料缶Ｃには関与せず、下側ストッパ４９は前方の突出位置で、その上に載った飲料缶Ｃの自重に抗してその下方への移動を規制する。
そして、販売時には、リンク軸３３、３５の引上げに伴い、上側ストッパ４５及び支持リンク４７は前方の商品収容通路５に突出して、最下段の飲料缶Ｃとその上の飲料缶Ｃとの間に入り込んで、その上の飲料缶Ｃの下方への移動を規制する。一方、下側ストッパ４９は係合支持が解除され、その上に載った飲料缶Ｃの自重に負けて後退する。そして、その飲料缶Ｃは下方に移動して搬出される。
【００２６】
その飲料缶Ｃの搬出が終了すると、下側ストッパ４９は弾性付勢力により前方に再び突出しその位置で維持されると共に、上側ストッパ４５が後退して、その上に載っていた飲料缶Ｃが下側ストッパ４９まで落下してその上に載って待機状態となる。
このようにして、飲料缶Ｃは下段側から１つずつ搬出される。
【００２７】
次に、自動販売機２の手動操作式商品搬出機構について、主に図３〜図５、図７にしたがって詳細に説明する。
手動操作式商品搬出機構は、上記した電気駆動式商品搬出機構の構成部品を一部借りて構成されている。
符号５１は１本のワイヤーを示し、このワイヤー５１の一端部はカシメ止めされたカシメ玉５３が付けられている。他端部には掴み部５５が取付けられている。
【００２８】
このワイヤー５１は、保護チューブとしてステンレス製のコイルスプリング状アウターチューブ５７に挿通され、その両端部であるカシメ玉５３と掴み部５５は共に外に引出されている。ワイヤー５１はこのアウターチューブ５７に対して摺動可能になっており、両端部側の引出しの長さは調整できるが、両端部がカシメ玉５３と掴み部５５で抜け止めされている。アウターチューブ５７は、外からの作用により胴曲りしても、その作用がなくなれば直状に弾性回復するようになっている。
【００２９】
このワイヤー５１が、アウターチューブ５７と共に、ρ（ロー）字状に曲げられており、この環状部分５９の下側がＵ字状垂下部分６１になっている。ワイヤー５１のカシメ玉５３側は環状部分５９の一部を構成して後側を向いており、掴み部５５側は下方に長く延びている。
Ｕ字状垂下部分６１は、下方に向かって弛んでおり、その底側乃至カシメ玉５３側はアウターチューブ５７から引出されて露出している。
この環状部分５９がソレノイド２１のヨーク部２７上でコイル部２５を囲むように這わされているが、上記したＵ字状垂下部分６１はヨーク部２７から下方にはみ出している。Ｕ字状垂下部分６１がリンク部材４１のフック部４３に軽く引掛けられている。
【００３０】
符号６３は薄い当て板を示し、この当て板６３はヨーク部２７の板面形状と同じΠ字状になっている。当て板６３はガイド部として使用されており、ヨーク部２７にワイヤー５１及びアウターチューブ５７を挟んだ状態で後方から当てて重ね合わされている。
この当て板６３の両肩部にはそれぞれネジ２９、２９が入り込むよう逃げ孔６５、６５が形成され、その中間には、ネジ６７の挿通用の挿通孔６９が形成されている。
一方の端部側、すなわちカシメ玉５３側には止め孔７１とガイド孔７３が間隔をあけて上下に並んだ状態で設けられている。この止め孔７１、ガイド孔７３に対して、ワイヤー５１は遊通可能で、カシメ玉５３は挿通不能になっている。このうち、ガイド孔７３がＵ字状垂下部分６１をＵ字形に弾性的に復元方向に付勢するためのガイド孔になっている。
また、他方の端部側はヨーク部２７側に向かって略垂直に折り曲げられており、この折り曲げ片７５にも丸い孔７７が設けられている。この孔７７はＵ字状垂下部分６１をＵ字形に弾性的に復元方向に付勢するためのガイド孔になっており、アウターチューブ５７が遊通可能になっている。
【００３１】
当て板６３は、挿通孔６９にネジ６７が差し込まれ、更にヨーク部２７側の挿通孔２８に通された上で基板１７側の台座にヨーク部２７諸共締付け固定されている。この固定によりアウターチューブ５７は押圧されて移動不能に、すなわち這わせ姿勢で維持されている。但し、内部を通っているワイヤー５１の摺動は可能になっている。
アウターチューブ５７はヨーク部２７の縁に寄せられているので、上記した固定により、図５の側面図に示すように、当て板６３はアウターチューブ５７の太さ分だけヨーク部２７から浮き上がっているが、その浮き上がりにより両端部側がヨーク部２７から離れる方向に傾斜している。右側面図に示すように、折り曲げ片７５の板面はヨーク部２７に対して僅かではあるが倒れた状態となっており、そこに設けられたガイド孔７７は完全な上下方向ではなく、やや前後方向を向いている。
【００３２】
アウターチューブ５７はガイド孔７７から後下方に有る程度の長さで延び出ている。その端部からワイヤー５１が引出されて露出している。また、ガイド孔７３から後方に向かってワイヤー５１が引出されて露出している。この両側からのワイヤー５１の引出しによりＵ字状垂下部分６１が形成されている。このガイド孔７３、７７が上記したように前後方向乃至前後方向寄りを向いているので、そこから延び出たアウターチューブ５７及びワイヤー５１は後方に向かって跳ね上げる方向に引出されている。なお、ガイド孔７７の前後方向への傾きは上記した跳ね上げを確保できる程度で然程大きくないので、アウターチューブ５７自体は殆ど直状を維持している。
カシメ玉５３側の端部は更に上側の止め孔７１を通って後方に抜け出ており、カシメ玉５３によって抜け止めされている。
【００３３】
上記した構成により、ワイヤー５１のＵ字状垂下部分６１を引張って下げると、リンク部材４１を、上動させることができる。
このように、手動操作式商品搬出機構は、電気駆動式商品搬出機構におけるソレノイド２１以外の構成部品をそのまま利用して構成されている。
【００３４】
次に、電気駆動時における手動操作式商品搬出機構の状態を説明する。
図６に示すように、ソレノイド２１による電気駆動により、リンク部材４１が上動するときには、ワイヤー５１のＵ字状垂下部分６１はフック部４３から外れて遊び可能、すなわちプランジャ２３の前側に回り込んで絡む危険性がある。しかしながら、ワイヤー５１は後方に向かって跳ね上げる方向に引出され、しかも、アウターチューブ５７の直状維持特性によりワイヤー５１は曲がり難くなっており、遊びは実質的に規制されている。また、フック部４３に掛止されたまま連れ上動した場合でも、カシメ玉５３側のワイヤー５１が止め孔７１から後方に飛び出すので、左右方向に極端に膨らむこともない。
上記したように、ワイヤー５１やアウターチューブ５７といった異物を基板１７に組み込んでも故障を起こさないよう十分な対策が採られている。
また、ワイヤー５１も絡まなければ摩耗しないので、手動操作式商品搬出機構自体にとっても故障し難いものとなっているといえる。
【００３５】
次に、手動操作時における手動操作式商品搬出機構の状態を説明する。
自動販売機２の外扉１３を開けると、本体キャビネット３内で掴み部５５が商品収容通路５の下方から露出しているので、それを指で掴んで下方に引張ると、図７に示すように、ワイヤー５１がアウターチューブ５７の内部を摺動して引出される。それと共に、Ｕ字状垂下部分６１が緊張してフック部４３を引上げる。このフック部４３の引上げにより、後は電気駆動式商品搬出機構と同様にして飲料缶Ｃが取出される。
掴み部５５を離せば、スプリング３９の弾性付勢力が働いて、矢印に示すように掴み部５５側の引出されたワイヤー５１がアウターチューブ５７側に戻される。その際には、アウターチューブ５７は拡大図に示すように実線から破線に示すように直状に戻ろうとするので、この直状維持特性も利用されて、ワイヤー５１は弛んだＵ字状垂下部分６１に戻る。従って、リンク部材４１は速やかに下降して、図２に示す待機時の下方位置に戻る。既存の自動販売機２はメーカーによりスプリング３９の弾性付勢力に違いがあるが、この保護チューブを兼ねたアウターチューブ５７を利用することで、自動販売機２の種類を問わず、手動操作により商品を取出した後に、再び電気駆動による商品搬出機構の利用がより確実に可能となっている。
【００３６】
更に、手動操作式商品搬出機構として付加すべき部品は、ワイヤー５１と、アウターチューブ５７と、当て板６３の３点であり、ネジ締付けにより簡単に取付けることができるので、特許文献２のものより、部品点数が少なく、しかも取付け作業も容易になっている。
【００３７】
次に、第２の実施の形態に係る手動操作式商品搬出機構７９について、図８〜図１０にしたがって説明する。
この手動操作式商品搬出機構７９でも、第１の実施の形態に係る手動操作式商品搬出機構１と同様に、既存の自動販売機２に後付けで部品を取付けて構成されたものであるが、コイル部の下側に配置された配線コード８１のフック状ガイド部８３、８３が利用されている。このフック状ガイド部８３、８３により配線コード８１が左右方向に持ち上げ支持されており、プランジャ２３に干渉しないようになっている。手動操作式商品搬出機構１と共通する部分は同じ符号を付すことで説明を省略する。
なお、手動操作式商品搬出機構１では、フック状ガイド部８３、８３が構成要素となっていなかったため図示省略されているが、手動操作式商品搬出機構７９では図示されている。
【００３８】
以下、手動操作式商品搬出機構７９のガイド部を後方から見た状態で説明する。このガイド部には板状のブラケット部材８５が使用されている。ブラケット部材８５は逆Ｌ字状をしており、その上側横部８７の端部は略垂直に折り曲げられて突設片８９になっている。また、上側横部８７の左端部に連なる縦部９１には、その中間部に横方向と縦方向にそれぞれ切込みが入れられて二つの切込み縁が形成されており、その切込み縁と縦部９１の一つの縁とで囲まれた矩形部分の上端部が略垂直に折り曲げられて突設片９３になっている。また、縦部９１の下端部にも横方向に切込みが入れられて一つの切込み縁が形成されており、その切込み縁と縦部９１の二つの縁とで囲まれた矩形部分の右端部が略垂直に折り曲げられて突設片９５になっている。この突設片９５は右側に延出しており、その他の縦部９１よりも幅広になっている。
【００３９】
突設片８９、９３、９５はいずれも後方に向かって突設しており、突設片８９は板面が左右方向を向いており、突設片９３は板面が上下方向を向いており、突設片９５は板面が左右方向を向いている。
突設片８９、９３にはアウターチューブ５７が挿通されるガイド孔９７、９９がそれぞれ形成されている。また、突設片９５にはワイヤー５１が挿通されるガイド孔１０１と止め孔１０３が形成されている。
また、上側横部８７には中間部と角隅部にそれぞれネジ６７の挿通用の挿通孔１０５と逃げ孔１０７が形成されている。
【００４０】
このガイド部には更に別のブラケット部材１０９が使用されている。ブラケット部材１０９はＩ字状をしており、その下端部には折り曲げ用の突設片１１１が延設されている。この突設片１１１が後方に向かって略垂直に折り曲げられている。突設片１１１の折り目は斜めになっており、右方に向かって下がっている。
この突設片１１１は板面が左下右上方向を向いている。
突設片１１１にはアウターチューブ５７が挿通されるガイド孔１１３が形成されている。
また、上端部にはネジ６７の挿通用の挿通孔１１５が形成されている。
【００４１】
この２つのブラケット部材８５、１０９の組合せで当て板６３と同様にガイド部がΠ字状に構成されており、ヨーク部２７に後方から当てて重ね合わされている。
ブラケット部材８５、１０９の挿通孔１０５、１１５にネジ６７が差し込まれ、更にヨーク部２７側の挿通孔２８（図４）に通された上で基板１７側の台座にヨーク部２７諸共締付け固定されている。また、逃げ孔１０７はヨーク部２７の締め付け固定用のネジ２９が入り込むようになっている。
【００４２】
ワイヤー５１がアウターチューブ５７と共に、ρ字状に曲げられており、アウターチューブ５７がガイド孔１１３、９７、９９に挿通されている。アウターチューブ５７はガイド孔１１３、９７、９９に対して移動不能に、すなわち這わせ姿勢で維持されている。但し、内部を通っているワイヤー５１の摺動は可能になっている。アウターチューブ５７から引出されてＵ字状垂下部分６１をなしたワイヤー５１はガイド孔１０１と止め孔１０３に挿通されてカシメ玉５３により抜け止めされている。
【００４３】
このようにアウターチューブ５７とワイヤー５１は、手動操作式商品搬出機構１と同様に這わせられているが、アウターチューブ５７がガイド孔１１３を左下方に向かって挿通し、ワイヤー５１はガイド孔１０１を右方に向かって挿通しており、Ｕ字状垂下部分６１に対してＶ字状方向に付勢している。一方、手動操作式商品搬出機構１では、Ｕ字状垂下部分６１を後方に跳ね上げ方向に付勢している。このように、付勢方向には違いがあるが、いずれもＵ字形に弾性的に復元する方向になっている。
但し、ワイヤー５１のガイド孔１０１と止め孔１０３は突設片９５に形成されており、ガイド孔１０１と止め孔１０３の間を通るワイヤー５１の動きがアウターチューブ５７に邪魔されないように工夫されている。
また、ガイド部をソレノイド２１側に固定させた上でアウターチューブ５７やワイヤー５１を挿通させており、取付け作業も容易になっている。
【００４４】
図１１で符号１１７はシールド片を示す。このシールド片１１７は薄いプラスチックシートで構成されており、上側には吊下げ用に横長矩形の吊下げ用穴１１９が打抜きにより形成されている。また、下側の中間部はプランジャ２３の掛止用穴３１を露出させるために矩形状に切欠かれて切欠き部１２１になっている。この切欠き部１２１のサイズはプランジャ２３の上動上限まで対応できるよう調整されている。左右両側は配線コード８１のガイドに邪魔にならない範囲で外方に拡がって幅広になっている。
図１２に示すように、このシールド片１１７の吊下げ用穴１１９にフック状ガイド部８３、８３を通して吊下げると、シート面がプランジャ２３及び左右空間を覆って後方からシールドする。
【００４５】
シールド片１１７を吊下げた後に、配線コード８１をフック状ガイド部８３、８３に掛けてガイドさせており、配線コード８１がシールド片１１７を押え付ける働きもして外れ難くなっている。
ワイヤー５１のＵ字状垂下部分６１はシールド片１１７の後面側で垂下しており、ワイヤー５１が弛んでもプランジャ２３側への回り込みは規制される。
【００４６】
手動操作式商品搬出機構７９のワイヤー５１はアウターチューブ５７から十分に引出した状態でガイド孔１０１と止め孔１０３に挿通させ、カシメ玉５３を取付けているので、Ｕ字状垂下部分６１はプランジャ２３の左右両側を超えて極端に拡開されており、上記した弾性復元手段の復元限界を超えている場合がある。
通常は、取付け作業の最終段階で、片方の手でＵ字状垂下部分６１を押えながら、もう片方の手で掴み部５５を掴んでワイヤー５１を引張ることで、一回緊張させて、プランジャ２３側に回り込まないように注意しながら弛みの度合を調整しているが、この作業が忘れられてしまう場合がある。この場合には、手動操作式商品搬出機構７９を最初に操作するときに、大きく弛んだ状態からＵ字状垂下部分６１のワイヤー５１が引張られることになるが、シールド片１１７を併用することで、Ｕ字状垂下部分６１のワイヤー５１がプランジャ２３側に回り込まないようになっている。すなわち、この最後の弛み調整作業が無くとも、ワイヤー５１がプランジャ２３側に回り込むことが確実に阻止される。
【００４７】
以上、本発明の実施の形態について詳述してきたが、具体的構成は、この実施の形態に限られるものではなく、本発明の要旨を逸脱しない範囲における設計の変更などがあっても発明に含まれる。
【産業上の利用可能性】
【００４８】
本発明の自動販売機によれば、電気駆動式商品搬出機構を備えた自動販売機に後付けで手動操作式商品搬出機構を備えさせることができる。
【符号の説明】
【００４９】
１…手動操作式商品搬出機構（第１の実施の形態）
２…自動販売機（既存）
３…本体キャビネット    ５…商品収容通路    ７…商品補充部
９…商品排出シュート  １１…内扉          １３…外扉        １５…商品取出口
１７…基板              １９…開口部        ２１…ソレノイド  ２３…プランジャ
２５…コイル部          ２７…ヨーク部      ２８…挿通孔      ２９…ネジ
３１…掛止用穴          ３３、３５…リンク軸                  ３７…支持軸
３９…スプリング        ４１…リンク部材                      ４３…フック部
４５…上側ストッパ      ４７…支持リンク    ４９…下側ストッパ
５１…ワイヤー          ５３…カシメ玉      ５５…掴み部
５７…アウターチューブ  ５９…環状部分      ６１…Ｕ字状垂下部分
６３…当て板            ６５…逃げ孔        ６９…挿通孔      ７１…止め孔
７３…ガイド孔          ７５…折り曲げ片    ７７…ガイド孔
７９…手動操作式商品搬出機構（第２の実施の形態）
８１…配線コード        ８３…フック状ガイド部
８５…ブラケット部材    ８７…上側横部      ８９…突設片      ９１…縦部
９３…突設片            ９５…突設片        ９７…ガイド孔    ９９…ガイド孔
１０１…ガイド孔        １０３…止め孔      １０５…挿通孔    １０７…逃げ孔
１０９…ブラケット部材  １１１…突設片      １１３…ガイド孔  １１５…挿通孔
１１７…シールド片      １１９…吊下げ用穴  １２１…切欠き部      Ｃ…飲料缶
【図１】
2018026112.tif 000003
【図２】
2018026112.tif 000004
【図３】
2018026112.tif 000005
【図４】
2018026112.tif 000006
【図５】
2018026112.tif 000007
【図６】
2018026112.tif 000008
【図７】
2018026112.tif 000009
【図８】
2018026112.tif 000010
【図９】
2018026112.tif 000011
【図１０】
2018026112.tif 000012
【図１１】
2018026112.tif 000013
【図１２】
2018026112.tif 000014